(57)【要約】【課題】本発明は、ネットワークを利用し、ガスの使用量のデータ収集を行なうガス量集計システムにおけるガス会社側に設置されたデータサーバの負荷を軽減することを目的とする。【解決手段】上記目的を達成するために、本発明のガス量集計システムでは、利用者宅１０には、ガスメータ１７と、パソコンなどの端末１２とを備え、ガス会社１３には、ネットワーク１６を介し、利用者宅１０に設置されたガスメータ１７からガス量データを収集する検針メータ遠隔制御装置１４と収集されたガス量データを加工し蓄積するデータサーバ１５と、データサーバ１５は格納されたガス量データを定期的に削除する編集手段１８を備える構成とした。【選択図】図１
2006252274.tif 000002
【特許請求の範囲】
【請求項１】
利用者の使用したガス量を計測し通信手段を備えたガスメータと、前記ガスメータで計測された前記利用者のガス量データをネットワークを介し、収集するなどの制御を行う検針メータ遠隔制御装置と、収集されたガス量データを蓄積するためのデータサーバとを備えたガス量集計システムにおいて、
前記データサーバは、蓄積された前記ガス量データを定期的に削除する編集手段を備えたことを特徴とするガス量集計システム。
【請求項２】
利用者の使用したガス量を計測し通信手段を備えたガスメータと、前記ガスメータで計測された前記利用者のガス量データをネットワークを介し、収集するなどの制御を行う検針メータ遠隔制御装置と、収集されたガス量データを蓄積するための第１のデータサーバと、
前記ガスメータは、ガス量データを定期的に蓄積する第２のデータサーバを備えたことを特徴とするガス量集計システム。
【発明の詳細な説明】
【技術分野】
【０００１】
本発明は、電話回線等のネットワークを使用し、利用者のガス使用量を集計するガス使用量集計システムに関する。
【背景技術】
【０００２】
従来からガスの使用量は、ガス会社の検針員が各利用者宅を定期的に訪問し、ガスメータを確認し収集している。
【０００３】
また、近年では、検針員の手間を省くため、ガスメータに通信手段を備え、電話回線等のネットワークを使用し、ガス会社から各利用者宅の使用量を収集できるシステムが実用化されている。
【０００４】
また、更に、利用者が長期的な使用状況などを管理するために、各ガス会社が各利用者宅の使用量を収集し、月別の使用状況の推移をグラフ化し利用者宅のパソコンなどの端末からネットワークを利用することで、確認できるシステムが提案されている（例えば、特許文献１）。
【０００５】
図４は、このようなガス料金集計システムを示す構成図であり、図４に示されるように、利用者宅１に設置された通信手段（図示せず）を備えたガスメータ８に記録されたガス使用量をガス会社３に設置された検針メータ遠隔制御装置４からネットワーク６を介し収集し、収集されたガス使用量を加工し、使用状況の推移を示すデータをグラフ化しデータサーバ５に蓄積することで、利用者が端末２を利用し、電話回線等のネットワーク６を介し、利用者宅１の使用量の推移などを確認できるというものである。
【特許文献１】特開２００２−１９７１４８号公報
【発明の開示】
【発明が解決しようとする課題】
【０００６】
しかしながら、上記従来のガス量集計システムでは、利用者数が増えるにしたがって、ガス会社側のデータサーバの容量が増大し、オーバーフローすることに加え、利用者が自宅の使用量の推移状況を知るためのガス会社へのアクセスが月初などに集中する可能性があり、ネットワークに莫大な負荷がかかることが想定される。
【０００７】
前記課題に鑑み、本発明は、データサーバの容量の肥大化を防ぎ、ネットワークの負荷を軽減することができるガス量集計システムを提供することを目的とする。
【課題を解決するための手段】
【０００８】
上記目的を達成するために、請求項１記載の発明は、利用者の使用したガス量を計測し通信手段を備えたガスメータと、前記ガスメータで計測された前記利用者のガス量データをネットワークを介し、収集するなどの制御を行う検針メータ遠隔制御装置と、収集されたガス量データを蓄積するためのデータサーバとを備えたガス量集計システムにおいて、前記データサーバは、蓄積された前記ガス量データを定期的に削除する編集手段を備えたガス量集計システムである。
【０００９】
係る構成によれば、データサーバが古いガス量データを定期的に削除するのでデータサーバが容量不足でオーバーフローすることを防ぐことができる。
【００１０】
また、請求項２記載の発明は、利用者の使用したガス量を計測し通信手段を備えたガスメータと、前記ガスメータで計測された前記利用者のガス量データをネットワークを介し、収集するなどの制御を行う検針メータ遠隔制御装置と、収集されたガス量データを蓄積するための第１のデータサーバと、前記ガスメータは、ガス量データ等を蓄積する第２のデータサーバを備えたガス量集計システムである。
【００１１】
係る構成によれば、利用者は、第２のデータサーバにアクセスすれば、使用状況を確認できるため、ガス会社のデータサーバへの利用者からのアクセスの負荷を軽減することができる。
【発明の効果】
【００１２】
以上述べたように、本発明のガス量集計システムによれば、データサーバが古いガス量データを定期的に削除するのでデータサーバが容量不足でオーバーフローすることを防ぐことができる。
【００１３】
また、利用者宅のガスメータに、第２のデータサーバを備えたので、利用者は自宅のガスメータにアクセスすれば、使用状況を確認でき、ガス会社のデータサーバへの利用者からのアクセスの負荷を軽減することができる。
【発明を実施するための最良の形態】
【００１４】
以下、本発明の実施の形態について図面を参照しながら説明する。
【００１５】
（実施の形態１）
図１は、本発明の第１の実施の形態を示すシステム構成図である。
【００１６】
図１に示されるように、本発明のガス量集計システムにおいては、利用者宅１０には、通信手段（図示せず）を備えたガスメータ１７と、パソコンなどの端末１２とを備え、ガス会社１３には、電話回線等のネットワーク１６を介し、利用者宅１０に設置されたガスメータ１７からガス量データを収集する検針メータ遠隔制御装置１４と収集されたガス量データを加工し蓄積するデータサーバ１５と、データサーバ１５は格納されたガス量データを定期的に削除する編集手段１８を備え、利用者は、端末１２により、ネットワーク１６を介しデータサーバ１５に格納されたガス量の推移を確認することができる。
【００１７】
次に、このようなガス会社のデータサーバにおけるデータ管理について、図２のフローチャートを基に説明する。
【００１８】
まず、検針メータ遠隔制御装置１４により、利用者宅１０のガスメータ１７から使用したガス量データを収集する（ステップＳ１）。
【００１９】
次に、収集されたガス量データをデータサーバ１５に格納する（ステップＳ２）。
【００２０】
次に、蓄積されたデータを削除する日か否かを判断する（ステップＳ３）。
【００２１】
ステップＳ３の結果、削除する日（または、以降の日）であるならば、過去の古いガス量データを削除し（ステップＳ４）、処理を終了する。
【００２２】
また、ステップＳ３の結果、削除する日が到来していない場合は、処理を終了する。
【００２３】
以上述べたように、本発明によれば、利用者の端末から、ネットワークを介し、ガス会社のデータサーバ１５にアクセスし、ガス量の使用推移データなどを参照することが可能になるとともに、ガス会社に設置された編集手段１８が定期的にデータサーバ１５の古いデータを削除するため、データサーバ１５の容量がオーバーフローすることがない。
【００２４】
（実施の形態２）
図３は、本発明の第２の実施の形態を示すシステム構成図である。
【００２５】
図３に示されるように、本発明のガス量集計システムにおいては、利用者宅２０には、通信手段（図示せず）及び第２のデータサーバ２８を備えたガスメータ２７と、パソコンなどの端末２２とを備え、ガス会社２３には、ネットワーク２６を介し、利用者宅２０に設置されたガスメータ２７からガス量データを収集する検針メータ遠隔制御装置２４と収集されたガス量データを加工し蓄積する第１のデータサーバ２５を備えている。
【００２６】
このような構成により、ガス会社２３の第１のデータサーバ２５により、加工されたガス量の使用推移データを利用者宅２０の第２のデータサーバ２８に配信することが可能になり、利用者は、端末２２により、自宅である利用者宅２０に設置された第２のデータサーバ２８にアクセスすることが可能であるとともに、ガス会社からダウンロードされたガス量の使用推移データを参照することができる。
【００２７】
以上述べたように、上記第２の実施の形態によれば、利用者がガス会社の第１のデータサーバ２５にアクセスですることがないため、ネットワークの負荷を軽減することができる。
【００２８】
なお、上記説明では、使用推移データを作成するためのガス量データの加工を第１のデータサーバ２５で行なうと説明したが、これに限られるものではなく、利用者宅２０に設置された第２のデータサーバ２８で加工を行なっても同様の効果を得ることができる。
【産業上の利用可能性】
【００２９】
本発明は、ガスや電気などの使用量をネットワークを介し、収集するシステムに有用な技術である。
【図面の簡単な説明】
【００３０】
【図１】本発明のガス量集計システムの第１の実施の形態を示すシステム構成図
【図２】本発明の第１の実施の形態に係るガス会社におけるデータ管理を示すフローチャート
【図３】本発明のガス量集計システムの第２の実施の形態を示すシステム構成図
【図４】従来のガス量集計システムのシステム構成図
【符号の説明】
【００３１】
１、１０、２０  利用者宅
２、１２、２２  端末
【図１】
2006252274.tif 000003
【図２】
2006252274.tif 000004
【図３】
2006252274.tif 000005
【図４】
2006252274.tif 000006